(57)【要約】  本技術は、センサユニットの利便性を向上させることができるようにする情報処理装置および方法に関する。本技術の情報処理装置は、他の情報処理装置と認証処理を行う認証部と、その認証部による認証に成功した場合、認証処理が行われた他の情報処理装置に電力を供給する電力供給部とを備える情報処理装置である。本技術は、例えば、情報処理装置、生体センサユニット、無線連動機器、電力供給装置、無線通信装置等に適用することができる。
2017057015.tif 000002
【特許請求の範囲】
【請求項１】
他の情報処理装置と認証処理を行う認証部と、
前記認証部による認証に成功した場合、前記他の情報処理装置に電力を供給する電力供給部と
を備える情報処理装置。
【請求項２】
前記電力供給部は、
前記認証部による前記認証の前に、前記認証のための準備電力を前記他の情報処理装置に供給し、
前記認証部による前記認証に成功した場合、前記他の情報処理装置を通常の状態で駆動させるための、前記準備電力より大電力の通常電力の前記他の情報処理装置への供給を開始し、
前記認証部による前記認証に失敗した場合、電力の供給を停止する
請求項１に記載の情報処理装置。
【請求項３】
前記電力供給部は、無線通信により前記電力を前記他の情報処理装置に供給する
請求項１に記載の情報処理装置。
【請求項４】
前記認証部は、前記他の情報処理装置と相互に認証し合う
請求項１に記載の情報処理装置。
【請求項５】
前記他の情報処理装置より送信される送信信号を受信する受信部をさらに備える
請求項１に記載の情報処理装置。
【請求項６】
前記送信信号は、無線信号である
請求項５に記載の情報処理装置。
【請求項７】
前記送信信号は、前記他の情報処理装置が有するセンサを用いて検出された情報であるセンサ情報を含む
請求項５に記載の情報処理装置。
【請求項８】
前記電力供給部は、前記受信部が前記センサ情報を受信後、電力の供給を終了する
請求項７に記載の情報処理装置。
【請求項９】
前記受信部により受信された前記センサ情報を処理する情報処理部をさらに備える
請求項７に記載の情報処理装置。
【請求項１０】
他の情報処理装置と認証処理を行い、
認証に成功した場合、前記他の情報処理装置に電力を供給する
情報処理方法。
【請求項１１】
他の情報処理装置と認証処理を行う認証部と、
前記認証部による認証に成功した場合、前記他の情報処理装置から供給される電力を取得する電力取得部と
を備える情報処理装置。
【請求項１２】
前記電力取得部は、前記他の情報処理装置から無線通信により供給される前記電力を取得する
請求項１１に記載の情報処理装置。
【請求項１３】
前記認証部は、前記他の情報処理装置と相互に認証し合う
請求項１１に記載の情報処理装置。
【請求項１４】
前記電力取得部は、前記認証部による前記認証の前に前記他の情報処理装置から供給される、前記認証のための準備電力を取得し、
前記認証部は、前記電力取得部により取得された前記準備電力を用いて前記認証処理を行い、
前記電力取得部は、
前記認証部による前記認証に成功した場合、前記他の情報処理装置から供給される、前記情報処理装置を通常の状態で駆動させるための、前記準備電力より大電力の通常電力の取得を開始し、
前記認証部による前記認証に失敗した場合、電力の取得を禁止する
請求項１１に記載の情報処理装置。
【請求項１５】
前記電力取得部により取得された前記通常電力を用いて駆動し、送信信号を前記他の情報処理装置に送信する送信部をさらに備える
請求項１１に記載の情報処理装置。
【請求項１６】
前記送信信号は、無線信号である
請求項１５に記載の情報処理装置。
【請求項１７】
前記電力取得部により取得された前記通常電力を用いて駆動し、所定のパラメータの検出を行うセンサ部をさらに備え、
前記送信部は、前記センサ部の検出結果に関する情報であるセンサ情報を前記送信信号として送信する
請求項１５に記載の情報処理装置。
【請求項１８】
前記センサ部は、生体に関する情報である生体情報の検出を行う
請求項１７に記載の情報処理装置。
【請求項１９】
前記電力取得部は、前記送信部による前記送信信号の送信終了後、前記通常電力の取得を終了する
請求項１５に記載の情報処理装置。
【請求項２０】
他の情報処理装置と認証処理を行い、
認証に成功した場合、前記他の情報処理装置から供給される電力を取得する
情報処理方法。
【発明の詳細な説明】
【技術分野】
【０００１】
本技術は、情報処理装置および方法に関し、特に、センサユニットの利便性を向上させることができるようにした情報処理装置および方法に関する。
【背景技術】
【０００２】
従来、病床患者の皮膚にパッチ型のセンサユニットを貼り付け、そのセンサユニットが検出した病床患者の生体信号を、着衣の上から近づけた無線連動機器が無線通信により取得して解析するシステムがあった。【０００３】
また、例えば、超音波エコーにより生体情報を検出する機能を有し、直腸付近の皮膚に貼り付けられた状態で、検出した生体情報から１０分後の便意を察知するパッチ型のセンサユニットや、そのセンサユニットと連動して便意の察知を通知するスマートフォン用のアプリケーション等があった。【０００４】
さらに、センサモジュールとRFIDタグとを有し、携帯電話からRFIDタグを駆動する電磁誘導程度の微弱な無線給電のみを受けて駆動するパッチもあった（例えば特許文献１参照）。
【先行技術文献】
【特許文献】
【０００５】
【特許文献１】特表２００７−５１９４８４号公報
【発明の概要】
【発明が解決しようとする課題】
【０００６】
しかしながら、特許文献１に記載のパッチのような微弱な給電では、駆動可能なセンサジュールが限らており、例えば超音波のエコー測定のような高機能なセンサを駆動させることは困難であり、高度な生体情報を取得することが困難であった。【０００７】
従来のセンサユニットでは、超音波エコー測定のような高度なセンシングを行うために、電源として電池を有したり、信号処理を行ったりしていた。そのため、センサユニットを常時貼り付けるには生活に支障が生じる程筐体が大きくなりすぎてしまう等、センサユニットとしての利便性が低減するおそれがあった。【０００８】
本技術は、このような状況に鑑みて提案されたものであり、センサユニットの利便性を向上させることを目的とする。
【課題を解決するための手段】
【０００９】
本技術の第１の側面の情報処理装置は、他の情報処理装置と認証処理を行う認証部と、前記認証部による認証に成功した場合、前記他の情報処理装置に電力を供給する電力供給部とを備える情報処理装置である。【００１０】
前記電力供給部は、前記認証部による前記認証の前に、前記認証のための準備電力を前記他の情報処理装置に供給し、前記認証部による前記認証に成功した場合、前記他の情報処理装置を通常の状態で駆動させるための、前記準備電力より大電力の通常電力の前記他の情報処理装置への供給を開始し、前記認証部による前記認証に失敗した場合、電力の供給を停止することができる。【００１１】
前記電力供給部は、無線通信により前記電力を前記他の情報処理装置に供給することができる。【００１２】
前記認証部は、前記他の情報処理装置と相互に認証し合うことができる。【００１３】
前記他の情報処理装置より送信される送信信号を受信する受信部をさらに備えることができる。【００１４】
前記送信信号は、無線信号であるようにすることができる。【００１５】
前記送信信号は、前記他の情報処理装置が有するセンサを用いて検出された情報であるセンサ情報を含むようにすることができる。【００１６】
前記電力供給部は、前記受信部が前記センサ情報を受信後、電力の供給を終了することができる。【００１７】
前記受信部により受信された前記センサ情報を処理する情報処理部をさらに備えることができる。【００１８】
本技術の第１の側面の情報処理方法は、他の情報処理装置と認証処理を行い、認証に成功した場合、前記他の情報処理装置に電力を供給する情報処理方法である。【００１９】
本技術の第２の側面の情報処理装置は、他の情報処理装置と認証処理を行う認証部と、前記認証部による認証に成功した場合、前記他の情報処理装置から供給される電力を取得する電力取得部とを備える情報処理装置である。【００２０】
前記電力取得部は、前記他の情報処理装置から無線通信により供給される前記電力を取得することができる。【００２１】
前記認証部は、前記他の情報処理装置と相互に認証し合うことができる。【００２２】
前記電力取得部は、前記認証部による前記認証の前に前記他の情報処理装置から供給される、前記認証のための準備電力を取得し、前記認証部は、前記電力取得部により取得された前記準備電力を用いて前記認証処理を行い、前記電力取得部は、前記認証部による前記認証に成功した場合、前記他の情報処理装置から供給される、前記情報処理装置を通常の状態で駆動させるための、前記準備電力より大電力の通常電力の取得を開始し、前記認証部による前記認証に失敗した場合、電力の取得を禁止することができる。【００２３】
前記電力取得部により取得された前記通常電力を用いて駆動し、送信信号を前記他の情報処理装置に送信する送信部をさらに備えることができる。【００２４】
前記送信信号は、無線信号であるようにすることができる。【００２５】
前記電力取得部により取得された前記通常電力を用いて駆動し、所定のパラメータの検出を行うセンサ部をさらに備え、前記送信部は、前記センサ部の検出結果に関する情報であるセンサ情報を前記送信信号として送信することができる。【００２６】
前記センサ部は、生体に関する情報である生体情報の検出を行うことができる。【００２７】
前記電力取得部は、前記送信部による前記送信信号の送信終了後、前記通常電力の取得を終了することができる。【００２８】
本技術の第２の側面の情報処理方法は、他の情報処理装置と認証処理を行い、認証に成功した場合、前記他の情報処理装置から供給される電力を取得する情報処理方法である。【００２９】
本技術の第１の側面の情報処理装置および方法においては、他の情報処理装置と認証処理が行われ、認証に成功した場合、他の情報処理装置に電力が供給される。【００３０】
本技術の第２の側面の情報処理装置および方法においては、他の情報処理装置と認証処理が行われ、認証に成功した場合、他の情報処理装置から供給される電力が取得される。
【発明の効果】
【００３１】
本技術によれば、光を利用した計測を行うことが出来る。また本技術によれば、センサユニットの利便性を向上させることができる。
【図面の簡単な説明】
【００３２】
【図１】従来のセンサユニットおよび無線連動機器の構成例を示すブロック図である。
【図２】センサユニットおよび無線連動機器の構成例を示すブロック図である。
【図３】使用例を説明する図である。
【図４】検出処理の流れの例を説明するフローチャートである。
【図５】認証処理の流れの例を説明するフローチャートである。
【図６】認証処理の流れの例を説明するフローチャートである。
【図７】生体情報の利用例を説明する図である。
【図８】生体情報の利用例を説明する図である。
【図９】コンピュータの主な構成例を示すブロック図である。
【発明を実施するための形態】
【００３３】
以下、本開示を実施するための形態（以下実施の形態とする）について説明する。なお、説明は以下の順序で行う。
１．第１の実施の形態（センサシステム）
【００３４】
＜１．第１の実施の形態＞
＜電力供給＞
従来、病床患者の皮膚にパッチ型のセンサユニットを貼り付け、そのセンサユニットが検出した病床患者の生体信号を、着衣の上から近づけた無線連動機器が無線通信により取得して解析するセンサシステムがあった。
【００３５】
また、例えば、超音波エコーにより生体情報を検出する機能を有し、直腸付近の皮膚に貼り付けられた状態で、検出した生体情報から１０分後の便意を察知するパッチ型のセンサユニットや、そのセンサユニットと連動して便意の察知を通知するスマートフォン用のアプリケーション等があった。
【００３６】
しかしながら、これらのセンサユニットでは、超音波エコー測定のような高度なセンシングを行うために、電源として電池を有したり、信号処理を行ったりしていた。
【００３７】
図１は、従来のセンサユニットと無線連動機器の主な構成例を示すブロック図である。図１に示されるように、従来のセンサユニット１０は、電源部（電池）１１、センサヘッド１２、増幅部１３、検波復調部１４、波形成形部１５、A/D変換部１６、メモリ１７、無線変調部１８、アンテナ１９、制御部２０、認証部２１、アンテナ２２を有していた。
【００３８】
センサヘッド１２で検出した生体情報は、増幅部１３で増幅され、検波復調部１４や波形成形部１５において信号処理され、A/D変換部１６においてA/D変換され、メモリ１７に記憶される。無線連動機器３０との無線通信が可能になると、無線変調部１８がメモリ１７から生体情報を読み出し、変調して無線信号としてアンテナ１９から送信する。
【００３９】
これらの処理部は、電源部（電池）１１から電力の供給を受けて駆動する。また、これらの処理部は、制御部２０に制御されて駆動する。認証部２１は、アンテナ２２を介して無線連動機器３０と無線通信を行い、無線連動機器３０の認証を行う。この認証部２１により無線連動機器３０が認証されると、制御部２０は、各処理部を制御して上述したように生体情報を無線連動機器３０に供給させる。
【００４０】
また、従来の無線連動機器３０は、電源部３１、アンテナ３２、無線復調部３３、メモリ３４、信号整形部３５、メモリ３６、解析処理部３７、アンテナ３８、認証部３９、および制御部４０を有する。
【００４１】
センサユニット１０から送信された無線信号は、アンテナ３２を介して無線復調部３３に受信される。無線復調部３３は、その受信信号を復調して生体情報を抽出し、メモリ３４に記憶させる。信号整形部３５は、メモリ３４からその生体情報を取得し、その生体情報の信号を整形してメモリ３６に記憶させる。解析処理部３７は、メモリ３６から生体情報を取得し、解析し、解析結果を出力する等の処理を行う。
【００４２】
これらの処理部は、電源部３１から電力の供給を受けて駆動する。また、これらの処理部は、制御部４０に制御されて駆動する。認証部３９は、アンテナ３８を介してセンサユニット１０と無線通信を行い、認証処理を行う。その認証が成功すると、制御部４０は、各処理部を制御して、上述したように生体情報の取得・解析を実行させる。
【００４３】
このように、従来のセンサユニット１０においては、電源として電池が必要であり、また、多様な処理が行われるため、センサユニットを常時貼り付けるには生活に支障が生じる程筐体が大きくなりすぎてしまう等、センサユニットとしての利便性が低減するおそれがあった。
【００４４】
そこで、無線連動機器において、他の情報処理装置と認証処理を行い、その認証に成功した場合、他の情報処理装置に電力を供給するようにする。つまり、無線連動機器が、他の情報処理装置と認証処理を行う認証部と、その認証部による認証に成功した場合、他の情報処理装置に電力を供給する電力供給部とを備えるようにする。
【００４５】
また、センサユニットにおいて、他の情報処理装置と認証処理を行い、その認証に成功した場合、他の情報処理装置から供給される電力を取得するようにする。つまり、センサユニットが、他の情報処理装置と認証処理を行う認証部と、その認証部による認証に成功した場合、他の情報処理装置から供給される電力を取得する電力取得部とを備えるようにする。
【００４６】
＜センサシステム＞
より具体的に説明する。図２は、本技術を適用したセンサシステムの例を示すブロック図である。このセンサシステムは、生体センサユニット１００と無線連動機器２００により構成され、生体センサユニット１００が検出した生体に関する情報である生体情報を無線連動機器２００が無線通信により取得して解析するシステムである。
【００４７】
生体センサユニット１００は、利用者（人体）の皮膚に装着された状態で、その利用者の生体情報の検出を行う。無線連動機器２００は、生体センサユニット１００と無線通信を行い、生体センサユニット１００が検出した生体情報を取得し、処理する。また、無線連動機器２００は、無線通信により生体センサユニット１００に電力を供給する。
【００４８】
図２に示されるように、生体センサユニット１００は、アンテナ１１１、認証部１１２、給電受信部１１３、センサヘッド１２１、増幅部１２２、A/D変換部１２３、無線変調部１２４、およびアンテナ１２５を有する。
【００４９】
給電受信部１１３は、アンテナ１１１を介して無線連動機器２００からの無線方式の給電（無線給電）を受信し、その電力をセンサヘッド１２１乃至無線変調部１２４に供給し、駆動させる。
【００５０】
認証部１１２は、この無線給電に関して、アンテナ１１１を介して無線連動機器２００と無線通信を行い、認証処理を行う。認証に成功した場合、無線連動機器２００からの、センサヘッド１２１乃至無線変調部１２４を通常の状態で駆動させるための電力（以下において通常電力とも称する）の供給が許可される。認証に失敗した場合、この通常電力の供給が禁止される。
【００５１】
センサヘッド１２１は、任意のパラメータの検出を行う任意のセンサを有し、生体情報の検出に関する処理を行う。つまり、センサヘッド１２１が有するセンサはどのようなものであってもよく、そのセンサによってどのような情報が生体情報として検出されてもよい。つまり、生体情報の内容も任意である。例えば、センサヘッド１２１が、超音波を対象物に当てて、その反射を映像化することで対象物の内部の状態を調査する超音波エコーセンサや、光（レーザ光等）を照射してその反射光を検出することで対象物の内部の状態を調査する光干渉断層撮影（OCT（Optical Coherence Tomography））センサを有するようにしてもよい。このようなセンサは、光や超音波を発してその反射を検出する等の高度な処理を行うため、RFIDタグを駆動する程度の微弱な電磁誘導程度の電力よりも大きな電力が必要になる。
【００５２】
センサヘッド１２１で検出した生体情報は、増幅部１２２により増幅され、A/D変換部１２３によりA/D変換され、無線変調部１２４により所定の変調方式で変調されて無線信号としてアンテナ１２５から送信される。この場合、センサヘッド１２１乃至無線変調部１２４が駆動するのは、電力が供給されている状態であり、すなわち無線連動機器２００と通信可能な状態である。したがって、センサヘッド１２１が検出した生体情報は、メモリに保持させずに送信することができる。
【００５３】
また、無線連動機器２００は、電源部２１１、認証部２１２、アンテナ２１３、アンテナ２２１、無線復調部２２２、メモリ２２３、検波復調部２２４、メモリ２２５、信号整形部２２６、メモリ２２７、解析処理部２２８、および制御部２３１を有する。
【００５４】
電源部２１１は、無線連動機器２００の各処理部に電力を供給するとともに、アンテナ２１３を介して生体センサユニット１００に対して無線給電する。この無線給電の方式は任意であるが、例えば、電磁誘導方式であってもよいし、電波方式であってもよい。電源部２１１は、この無線給電により、RFIDタグを駆動させる場合よりも大きな通常電力を生体センサユニット１００に供給することができる。
【００５５】
認証部２１２は、この無線給電に関して、アンテナ１１１を介して生体センサユニット１００と無線通信を行い、認証処理を行う。認証に成功した場合、生体センサユニット１００への通常電力の供給が許可される。認証に失敗した場合、この通常電力の供給が禁止される。
【００５６】
生体センサユニット１００から送信された無線信号は、アンテナ２２１を介して無線復調部２２２により受信される。無線復調部３３は、その受信信号を所定の復調方式で復調して生体情報を抽出し、メモリ２２３に記憶させる。検波復調部２２４は、メモリ２２３からその生体情報を取得し、所定の方式で検波・復調し、メモリ２２５に記憶させる。信号整形部２２６は、メモリ２２５からその生体情報を取得し、その生体情報の信号を整形してメモリ２２７に記憶させる。解析処理部２２８は、メモリ２２７からその生体情報を取得し、解析し、解析結果を出力する等の処理を行う。これらの処理部は、制御部２３１に制御されて駆動する。
【００５７】
＜使用例＞
生体センサユニット１００は、例えば図３のＡのように、パッチやシール等を用いて、生体情報の検出対象物体としての利用者（人体）３０１の皮膚に貼り付けて使用される。例えば、生体センサユニット１００Ａは、利用者３０１の胃の付近に貼り付けられている。また、例えば、生体センサユニット１００Ｂは、利用者３０１の腸の付近に貼り付けられている。
【００５８】
無線連動機器２００が、例えば図３のＢのように、利用者（生体センサユニット１００を装着された利用者３０１でなくてもよい）によって生体センサユニット１００に翳される（生体センサユニット１００に対して無線給電と無線通信が可能な距離に近接させる）と、生体センサユニット１００が駆動し、生体情報のセンシングを行い、そのセンサ結果に関する情報（センサ情報）を無線連動機器２００に送信する。例えば、生体センサユニット１００は、超音波エコー検査やOCT検査等を行い、反射波の情報（すなわち、胃や腸の状況を示す情報）を検出し、それをセンサ情報（生体情報）として無線連動機器２００に送信する。
【００５９】
例えば、無線連動機器２００Ａは、皮膚に装着された生体センサユニット１００Ａに衣服の上から翳されている。この場合、生体センサユニット１００Ａは、胃等のエコー診断結果等を生体情報として無線連動機器２００Ａに送信する。また、例えば、無線連動機器２００Ｂは、皮膚に装着された生体センサユニット１００Ｂに衣服の上から翳されている。この場合、生体センサユニット１００Ｂは、腸等のエコー診断結果等を生体情報として無線連動機器２００Ｂに送信する。
【００６０】
図２に示されるように、生体センサユニット１００は、電源（電池）を有しておらず、無線連動機器２００からの給電により駆動する。また、生体センサユニット１００は、センサヘッド１２１において得られた生体情報を無線信号として送信するために必要な信号処理のみを行うようにし、無線連動機器２００において行うことができる信号処理は無線連動機器２００において行うようになされている。したがって、生体センサユニット１００の小型化をより容易に実現することができる。つまり、生体センサユニット１００を、より小さく、より薄く、より柔らかくすることができる。
【００６１】
そのため、したがって、生体センサユニット１００を利用者の皮膚に常時貼り付けても、その利用者の生活に及ぼす影響を低減させることができる。したがって、測定の度に生体センサユニット１００を脱着する必要がなくなり、より容易に測定を行うことができるようになる。これにより、このセンサシステム（生体センサユニット１００および無線連動機器２００）を、病床患者の検査だけでなく、健常者の日常生活における計測にも利用することができる。つまり、生体センサユニット１００の利便性を向上させることができる。
【００６２】
また、上述のように生体センサユニット１００が電源（電池）を有していないため、生体センサユニット１００の非駆動時に回路への電力供給を完全に停止することができ、誤作動や故障の発生を抑制することができる。また、回路の有機化が可能になるので、生体センサユニット１００の廃棄方法をより容易化することができる（廃棄による環境への負荷を低減させることができる）。さらに生体センサユニット１００の再利用（リサイクル）もより容易に実現することができる。
【００６３】
また、無線連動機器２００から生体センサユニット１００への給電が無線給電により行われ、さらに、生体センサユニット１００から無線連動機器２００への生体情報の伝送も無線通信により行われるので、図３のＢの例のように、無線連動機器２００は、衣服の上から翳すだけでよい。したがって、測定の度に利用者が服を脱ぐ必要が無く、より容易に測定を行うことができるようになる。これにより、健常者の日常性格における計測においても、このセンサシステム（生体センサユニット１００および無線連動機器２００）を、より容易に利用することができる。つまり、センサシステム（生体センサユニット１００および無線連動機器２００）の利便性を向上させることができる。
【００６４】
また、無線連動機器２００が、RFIDタグを駆動させる場合よりも大きな通常電力を生体センサユニット１００に供給することができるので、生体センサユニット１００は、超音波エコー検査やOCT検査等の高度な処理を伴うセンシングを行うことができる。
【００６５】
＜検出処理の流れ＞
次に、生体センサユニット１００および無線連動機器２００により実行される処理について説明する。図４のフローチャートを参照して、生体情報を検出する検出処理の流れの例を説明する。
【００６６】
ステップＳ１２１において、無線連動機器２００の電源部２１１は、生体センサユニット１００に対して、認証部１１２が駆動することができる程度の微弱な電力である準備電力を、アンテナ２１３を介して供給（無線給電）する。ステップＳ１０１において、生体センサユニット１００の給電受信部１１３は、その準備電力を、アンテナ１１１を介して受信する。給電受信部１１３は、その準備電力を用いて認証部１１２を駆動させる。
【００６７】
ステップＳ１２２において、無線連動機器２００の認証部２１２は、アンテナ２１３を介して生体センサユニット１００（認証部１１２）と無線通信を行い、認証処理を行う。ステップＳ１０１において、生体センサユニット１００の認証部１１２は、アンテナ１１１を介して無線連動機器２００（認証部２１２）と無線通信を行い、認証処理を行う。
【００６８】
この認証に成功すると、ステップＳ１２３において、無線連動機器２００の電源部２１１は、生体センサユニット１００に対して、通常電力の供給（無線給電）を開始する。ステップＳ１０３において、生体センサユニット１００の給電受信部１１３は、その通常電力の無線給電の受信を開始する。給電受信部１１３は、その通常電力のセンサヘッド１２１乃至無線変調部１２４への供給を開始する。つまり、給電受信部１１３は、その通常電力を用いてセンサヘッド１２１乃至無線変調部１２４の各処理部を駆動させる。
【００６９】
ステップＳ１０４において、センサヘッド１２１は、生体情報のセンシングを行う。そして、ステップＳ１０５において、そのセンシングにより得られたセンサ情報（生体情報）を、増幅部１２２が増幅し、A/D変換部１２３がA/D変換し、無線変調部１２４がアンテナ１２５を介して無線信号として無線連動機器２００に供給（送信）する。
【００７０】
ステップＳ１２４において、無線連動機器２００の無線復調部２２２は、アンテナ２２１を介してその無線信号を受信する。
【００７１】
無線信号が受信されると、ステップＳ１２５において、無線連動機器２００の電源部２１１は、生体センサユニット１００への通常電力の供給（無線給電）を終了する。ステップＳ１０６において、生体センサユニット１００の給電受信部１１３は、無線連動機器２００からの通常電力の受信を終了する。すなわち、給電受信部１１３は、センサヘッド１２１乃至無線変調部１２４への電力供給を終了する。
【００７２】
ステップＳ１２６において、無線連動機器２００の各処理部は、ステップＳ１２４において受信したセンサ情報（生体情報）に関する処理を行う。例えば、無線復調部２２２は、受信信号を復調して生体情報を抽出し、検波復調部２２４および信号整形部２２６は、生体情報に対して信号処理を行い、解析処理部２２８は、その生体情報を解析する等の処理を行う。
【００７３】
センサ情報に対する処理が終了すると、検出処理が終了する。
【００７４】
なお、ステップＳ１０２およびステップＳ１２２の認証処理に失敗した場合、電源部２１１は電力の供給（無線給電）を停止（中止）し、給電受信部１１３は電力の取得（無線給電の受信）を禁止（中止）する。そして、検出処理が終了する。
【００７５】
以上のように検出処理を行うことにより、生体センサユニット１００の小型化をより容易に実現することができる等、センサシステム（生体センサユニット１００および無線連動機器２００）の利便性を向上させることができる。
【００７６】
また、上述したように認証処理を行うことにより、不正な装置間での情報の授受を抑制し、より安全な無線通信を行うことができる。例えば、不正な無線連動機器により、生体センサユニットが駆動され、個人情報となり得るセンサ情報が取得される等の、不正な情報漏えいを抑制することができる。
【００７７】
また、その認証処理を電力の供給（無線給電）の際に行うことにより、生体センサユニット１００の不要な駆動を抑制することができる。これにより、例えば、不正な無線連動機器により電力が供給されて、センサ情報を供給しないのに各処理部に電力が供給される（各処理部が駆動してしまう）ことを抑制することができ、経年劣化、誤作動の発生、不要な発熱等を抑制することができる。つまり、生体センサユニット１００の信頼性を向上させることができる。また、無線連動機器２００は、不正な生体センサユニット１００への電力供給を抑制することができ、消費電力の増大を抑制することができる。例えば、無線連動機器２００が電池を電源として駆動する場合、無線連動機器２００の動作時間をより長くすることができる。
【００７８】
また、無線連動機器２００が、微弱な準備電力を生体センサユニット１００に供給し、認証に成功した場合に準備電力よりも大きな通常電力を供給し、認証に失敗した場合は電力の供給を中止するようにすることにより、不要な電力の供給を抑制することができ、無線連動機器２００の消費電力の増大を抑制することができる。例えば、無線連動機器２００が電池を電源として駆動する場合、無線連動機器２００の動作時間をより長くすることができる。また、生体センサユニット１００は、不要に大きな電力の受信を抑制することができ、不要な発熱を抑制することができ、生体やセンシングに対する影響を抑制することができる。
【００７９】
また、上述したように、生体情報が生体センサユニット１００から無線連動機器２００に伝送された後、無線連動機器２００から生体センサユニット１００への電力供給が終了される。したがって、不要な電力供給を抑制することができる。これにより、無線連動機器２００の消費電力の増大を抑制することができ、生体センサユニット１００における不要な発熱を抑制することができ、生体やセンシングに対する影響を抑制することができる。
【００８０】
＜認証処理の流れ＞
次に、図５のフローチャートを参照して、無線連動機器２００によりステップＳ１２２（図４）において実行される認証処理の流れの例を説明する。
【００８１】
認証処理が開始されると、認証部２１２は、ステップＳ１４１において、無線連動機器２００についての認証に必要な情報である認証情報を、アンテナ２１３を介して無線信号として生体センサユニット１００に送信（供給）する。この認証情報はどのような情報であってもよいが、例えば、ハードウエアやソフトウエアの識別情報を含むようにしてもよい。
【００８２】
ステップＳ１４２において、認証部２１２は、生体センサユニット１００から無線信号として送信される、ステップＳ１４１において送信した認証情報に対する認証結果の通知と、生体センサユニット１００についての認証情報を、アンテナ２１３を介して受信する（受け付ける）。
【００８３】
ステップＳ１４３において、認証部２１２は、ステップＳ１４２において受け付けた通知に基づいて、生体センサユニット１００による自身の認証情報の認証が成功したか否かを判定する。その認証に成功したと判定された場合、処理はステップＳ１４４に進む。
【００８４】
ステップＳ１４４において、認証部２１２は、ステップＳ１４２において受け付けた生体センサユニット１００についての認証情報に対して、電力の供給先としての認証を行う。ステップＳ１４５において、認証部２１２は、その認証に成功したか否かを判定する。成功したと判定された場合、処理はステップＳ１４６に進む。
【００８５】
ステップＳ１４６において、認証部２１２は、無線信号により、その認証に成功した旨を生体センサユニット１００に通知する。また、ステップＳ１４７において、認証部２１２は、電源部２１１に対して、認証した生体センサユニット１００に対する通常電力の供給を開始させる。
【００８６】
ステップＳ１４７の処理が終了すると、認証処理が終了し、処理は図４に戻る。また、ステップＳ１４３またはステップＳ１４５において、認証に失敗したと判定された場合、処理はステップＳ１４８に進む。
【００８７】
ステップＳ１４８において、認証部２１２は、無線信号により、認証に失敗した旨を生体センサユニット１００に通知する。また、ステップＳ１４９において、認証部２１２は、電源部２１１に対して、通常電力の供給を停止させる。ステップＳ１４９の処理が終了すると、認証処理が終了し、処理は図４に戻る。
【００８８】
次に、図６のフローチャートを参照して、生体センサユニット１００によりステップＳ１０２（図４）において実行される認証処理の流れの例を説明する。
【００８９】
認証処理が開始されると、認証部１１２は、ステップＳ１６１において、無線連動機器２００から送信される無線連動機器２００についての認証情報を、アンテナ１１１を介して無線信号として受信する（受け付ける）。
【００９０】
ステップＳ１６２において、認証部１１２は、無線連動機器２００の認証情報を取得（受信）したか否かを判定する。取得したと判定された場合、処理はステップＳ１６３に進む。
【００９１】
ステップＳ１６３において、認証部１１２は、ステップＳ１６１において受け付けた無線連動機器２００についての認証情報に対して、電力の供給元としての認証を行う。ステップＳ１６４において、認証部１１２は、その認証に成功したか否かを判定する。成功したと判定された場合、処理はステップＳ１６５に進む。
【００９２】
ステップＳ１６５において、認証部１１２は、その認証結果の通知と、生体センサユニット１００についての認証情報を、アンテナ１１１を介して無線信号として無線連動機器２００に送信（供給）する。
【００９３】
ステップＳ１６６において、認証部１１２は、無線連動機器２００から無線信号として送信される、ステップＳ１６５において送信した認証情報に対する認証結果の通知を、アンテナ１１１を介して受信する（受け付ける）。
【００９４】
ステップＳ１６７において、認証部１１２は、ステップＳ１６６において受け付けた通知に基づいて、無線連動機器２００による自身の認証情報の認証が成功したか否かを判定する。その認証に成功したと判定された場合、処理はステップＳ１６８に進む。
【００９５】
ステップＳ１６８において、認証部１１２は、給電受信部１１３に対して、認証した無線連動機器２００からの通常電力の取得を開始させる。
【００９６】
ステップＳ１６８の処理が終了すると、認証処理が終了し、処理は図４に戻る。また、ステップＳ１６２またはステップＳ１６４において認証に失敗したと判定された場合、処理はステップＳ１６９に進む。
【００９７】
ステップＳ１６９において、認証部１１２は、無線信号により、認証に失敗した旨を無線連動機器２００に通知する。ステップＳ１６９の処理が終了すると処理はステップＳ１７０に進む。また、ステップＳ１６７において認証に失敗したと判定された場合、処理はステップＳ１７０に進む。
【００９８】
ステップＳ１７０において、認証部１１２は、給電受信部１１３に対して、電力の取得を禁止させる。ステップＳ１７０の処理が終了すると、認証処理が終了し、処理は図４に戻る。
【００９９】
このように、生体センサユニット１００および無線連動機器２００は、認証処理として相互に認証し合う。したがって、生体センサユニット１００が不正な無線連動機器２００からの電力供給を抑制することができるだけでなく、無線連動機器２００が不正な生体センサユニット１００への電力供給を抑制することもできる。したがって、無線通信の安全性をより向上させることができる。さらに、生体センサユニット１００の経年劣化、誤作動の発生、不要な発熱等を抑制するとともに、無線連動機器２００の消費電力の増大を抑制することができる。
【０１００】
＜生体情報の利用＞
以上のようにして取得される生体情報の利用方法は任意である。例えば、図７に示されるように、胃の表面部位の皮膚に貼りつけられた生体センサユニット１００Ａが、超音波やOCT等のセンサで、胃の内容物を画像化し、着衣の上から翳された無線連動機器２００Ａへ、当該の画像信号を無線で送るようにしてもよい。また、無線連動機器２００Ａが、その胃の内容物の画像から、内容物の量と種類を推定するようにしてもよい。また、無線連動機器２００Ａが、それを画像処理で高精細化し、その推定精度を上げるようにしてもよい。
【０１０１】
例えば、利用者が、毎食後、生体センサユニット１００Ａに、着衣の上から無線連動機器２００Ａを翳し、胃の内容物の量と種類の推定を行うようにし、無線連動機器２００Ａが、その推定の反復と、必要ならば別途取得の、食事画像もしくは記録との照合から、機械学習により、摂取した食事の栄養含量等の、解析精度を上げて行くようにしてもよい。
【０１０２】
また、例えば、図７に示されるように、大腸の表面部位の皮膚に貼りつけられた生体センサユニット１００Ｂが、超音波やOCT等のセンサで、大腸の内容物を画像化し、着衣の上から翳された無線連動機器２００Ｂへ、当該の画像信号を無線で送るようにしてもよい。また、無線連動機器２００Ｂが、その大腸の内容物の画像から、内容物の量と種類を推定するようにしてもよい。また、無線連動機器２００Ｂが、それを画像処理で高精細化し、その推定精度を上げるようにしてもよい。
【０１０３】
例えば、利用者が、毎食後、生体センサユニット１００Ｂに、着衣の上から無線連動機器２００Ｂを翳し、大腸の内容物の量と種類の推定を行うようにし、無線連動機器２００Ｂが、その推定の反復と、必要ならば別途取得の、大便画像もしくは記録との照合から、機械学習により、排泄する大便の栄養残量等の、解析精度を上げて行くようにしてもよい。
【０１０４】
また、生体センサユニット１００に、例えば、体温、血流、脈波、脈拍、心拍等のセンサをさらに設け、それらのセンサから得られるセンサ情報も生体情報として無線連動機器２００に伝送するようにし、無線連動機器２００が、それらのセンサ情報を用いて解析処理を行うようにし、摂取した食事の栄養含量等や、排泄する大便の栄養残量等の、解析精度を向上させるようにしてもよい。
【０１０５】
また、例えば、図８に示されるように、無線連動機器２００が、毎食後の機械学習の蓄積から、摂取した食事がいつ排泄されるか、排泄する大便がいつ摂取されたか、この因果関係を解析し表示すると共に、摂取した食事の栄養含有量等と、排泄する大便の栄養残量等との差分から、例えば差分がゼロになる様に、栄養等の消費運動、生活行動を推奨するようにしてもよい。
【０１０６】
例えば、利用者が、就寝前に、生体センサユニット１００に、着衣の上から無線連動機器２００を翳すと、無線連動機器２００が、食事の消化進捗の解析から、快眠に最適な就寝タイミングを推奨する等の処理を行うようにしてもよい。
【０１０７】
さらに、例えば、無線連動機器２００が、別途取得のメタボ指標、例えば、体脂肪率やAGEs (Advanced Glycation Endproducts；終末糖化生成物)等の変動値を取り込み、栄養等の消費運動、生活行動の推奨、就寝タイミングの推奨等の、効果を検証し、機械学習により、更に推奨精度を上げて行くようにしてもよい。
【０１０８】
以上のように、無線連動機器２００は、生体センサユニット１００から取得した生体情報を解析することにより、多様な処理を行うことができる。
【０１０９】
以上においては、生体センサユニット１００が、生体から生体情報を検出するように説明したが、検出対象はどのようなものであってもよく、検出対象情報は生体情報に限らず、検出対象物体は生体に限らない。さらに、本技術は、上述したセンサユニットや無線連動機器に限らず、任意の装置に適用することができる。例えば、任意の、計測装置、撮像装置、通信装置、電力供給制御装置、情報処理装置、電子機器等に適用することができる。つまり、本技術は、交通、医療、防犯、農業、畜産業、鉱業、美容、工場、家電、気象、自然監視等、任意の分野の装置やシステムに適用することができる。
【０１１０】
＜ソフトウエア＞
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０１１１】
図９は、上述した一連の処理をプログラムにより実行するコンピュータのハードウエアの構成例を示すブロック図である。
【０１１２】
図９に示されるコンピュータ９００において、CPU（Central Processing Unit）９０１、ROM（Read Only Memory）９０２、RAM（Random Access Memory）９０３は、バス９０４を介して相互に接続されている。
【０１１３】
バス９０４にはまた、入出力インタフェース９１０も接続されている。入出力インタフェース９１０には、入力部９１１、出力部９１２、記憶部９１３、通信部９１４、およびドライブ９１５が接続されている。
【０１１４】
入力部９１１は、例えば、キーボード、マウス、マイクロホン、タッチパネル、入力端子などよりなる。出力部９１２は、例えば、ディスプレイ、スピーカ、出力端子などよりなる。記憶部９１３は、例えば、ハードディスク、RAMディスク、不揮発性のメモリなどよりなる。通信部９１４は、例えば、ネットワークインタフェースよりなる。ドライブ９１５は、磁気ディスク、光ディスク、光磁気ディスク、または半導体メモリなどのリムーバブルメディア９２１を駆動する。
【０１１５】
以上のように構成されるコンピュータ９００では、CPU９０１が、例えば、記憶部９１３に記憶されているプログラムを、入出力インタフェース９１０およびバス９０４を介して、RAM９０３にロードして実行することにより、上述した一連の処理が行われる。RAM９０３にはまた、CPU９０１が各種の処理を実行する上において必要なデータなども適宜記憶される。
【０１１６】
CPU９０１が実行するプログラムは、例えば、パッケージメディア等としてのリムーバブルメディア９２１に記録して適用することができる。その場合、プログラムは、リムーバブルメディア９２１をドライブ９２５に装着することにより、入出力インタフェース９１０を介して、記憶部９１３にインストールすることができる。
【０１１７】
また、このプログラムは、ローカルエリアネットワーク、インターネット、デジタル衛星放送といった、有線または無線の伝送媒体を介して提供することもできる。その場合、プログラムは、通信部９１４で受信し、記憶部９１３にインストールすることができる。
【０１１８】
その他、このプログラムは、ROM９０２や記憶部９１３に、あらかじめインストールしておくこともできる。
【０１１９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１２１】
また、上述した各ステップの処理は、上述した各装置、若しくは、上述した各装置以外の任意の装置において、実行することができる。その場合、その処理を実行する装置が、上述した、その処理を実行するのに必要な機能（機能ブロック等）を有するようにすればよい。また、処理に必要な情報を、適宜、その装置に伝送するようにすればよい。
【０１２２】
＜その他＞
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１２３】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０１２４】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１２５】
例えば、本技術は、１つの機能を、ネットワークを介して複数の装置で分担、共同して処理するクラウドコンピューティングの構成をとることができる。
【０１２６】
また、上述のフローチャートで説明した各ステップは、１つの装置で実行する他、複数の装置で分担して実行することができる。
【０１２７】
さらに、１つのステップに複数の処理が含まれる場合には、その１つのステップに含まれる複数の処理は、１つの装置で実行する他、複数の装置で分担して実行することができる。
【０１２８】
なお、本技術の実施の形態は、上述した実施の形態に限定されるものではなく、本技術の要旨を逸脱しない範囲において種々の変更が可能である。例えば、上述した生体センサユニット１００や無線連動機器２００の構成の一部若しくは全部を搭載する装置やシステム、または、それらの製造装置や製造方法に限らず、上述した生体センサユニット１００や無線連動機器２００の構成の一部若しくは全部を搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等、または、それらの構成を製造する製造装置や製造方法として実施することもできる。
【０１２９】
なお、本技術は以下のような構成も取ることができる。
（１）  他の情報処理装置と認証処理を行う認証部と、
前記認証部による認証に成功した場合、前記他の情報処理装置に電力を供給する電力供給部と
を備える情報処理装置。
（２）  前記電力供給部は、
前記認証部による前記認証の前に、前記認証のための準備電力を前記他の情報処理装置に供給し、
前記認証部による前記認証に成功した場合、前記他の情報処理装置を通常の状態で駆動させるための、前記準備電力より大電力の通常電力の前記他の情報処理装置への供給を開始し、
前記認証部による前記認証に失敗した場合、電力の供給を停止する
（１）に記載の情報処理装置。
（３）  前記電力供給部は、無線通信により前記電力を前記他の情報処理装置に供給する
（１）または（２）に記載の情報処理装置。
（４）  前記認証部は、前記他の情報処理装置と相互に認証し合う
（１）乃至（３）のいずれかに記載の情報処理装置。
（５）  前記他の情報処理装置より送信される送信信号を受信する受信部をさらに備える
（１）乃至（４）のいずれかに記載の情報処理装置。
（６）  前記送信信号は、無線信号である
（５）に記載の情報処理装置。
（７）  前記送信信号は、前記他の情報処理装置が有するセンサを用いて検出された情報であるセンサ情報を含む
（５）または（６）に記載の情報処理装置。
（８）  前記電力供給部は、前記受信部が前記センサ情報を受信後、電力の供給を終了する
（７）に記載の情報処理装置。
（９）  前記受信部により受信された前記センサ情報を処理する情報処理部をさらに備える
（７）または（８）に記載の情報処理装置。
（１０）  他の情報処理装置と認証処理を行い、
認証に成功した場合、前記他の情報処理装置に電力を供給する
情報処理方法。
（１１）  他の情報処理装置と認証処理を行う認証部と、
前記認証部による認証に成功した場合、前記他の情報処理装置から供給される電力を取得する電力取得部と
を備える情報処理装置。
（１２）  前記電力取得部は、前記他の情報処理装置から無線通信により供給される前記電力を取得する
（１１）に記載の情報処理装置。
（１３）  前記認証部は、前記他の情報処理装置と相互に認証し合う
（１１）または（１２）に記載の情報処理装置。
（１４）  前記電力取得部は、前記認証部による前記認証の前に前記他の情報処理装置から供給される、前記認証のための準備電力を取得し、
前記認証部は、前記電力取得部により取得された前記準備電力を用いて前記認証処理を行い、
前記電力取得部は、
前記認証部による前記認証に成功した場合、前記他の情報処理装置から供給される、前記情報処理装置を通常の状態で駆動させるための、前記準備電力より大電力の通常電力の取得を開始し、
前記認証部による前記認証に失敗した場合、電力の取得を禁止する
（１１）乃至（１３）のいずれかに記載の情報処理装置。
（１５）  前記電力取得部により取得された前記通常電力を用いて駆動し、送信信号を前記他の情報処理装置に送信する送信部をさらに備える
（１１）乃至（１４）のいずれかに記載の情報処理装置。
（１６）  前記送信信号は、無線信号である
（１５）に記載の情報処理装置。
（１７）  前記電力取得部により取得された前記通常電力を用いて駆動し、所定のパラメータの検出を行うセンサ部をさらに備え、
前記送信部は、前記センサ部の検出結果に関する情報であるセンサ情報を前記送信信号として送信する
（１５）または（１６）に記載の情報処理装置。
（１８）  前記センサ部は、生体に関する情報である生体情報の検出を行う
（１７）に記載の情報処理装置。
（１９）  前記電力取得部は、前記送信部による前記送信信号の送信終了後、前記通常電力の取得を終了する
（１５）乃至（１８）のいずれかに記載の情報処理装置。
（２０）  他の情報処理装置と認証処理を行い、
認証に成功した場合、前記他の情報処理装置から供給される電力を取得する
情報処理方法。
【符号の説明】
【０１３０】
１００  生体センサユニット，  １１１  アンテナ，  １１２  認証部，  １１３  給電受信部，  １２１  センサヘッド，  １２２  増幅部，  １２３  A/D変換部，  １２４  無線変調部，  １２５  アンテナ，  ２００  無線連動機器，  ２１１  電源部，  ２１２  認証部，  ２１３  アンテナ，  ２２１  アンテナ，  ２２２  無線復調部，  ２２３  メモリ，  ２２４  検波復調部，  ２２５  メモリ，  ２２６  信号整形部，  ２２７  メモリ，  ２２８  解析処理部，  ２３１  制御部，  ９００  コンピュータ
【図１】
2017057015.tif 000003
【図２】
2017057015.tif 000004
【図３】
2017057015.tif 000005
【図４】
2017057015.tif 000006
【図５】
2017057015.tif 000007
【図６】
2017057015.tif 000008
【図７】
2017057015.tif 000009
【図８】
2017057015.tif 000010
【図９】
2017057015.tif 000011
【国際調査報告】
2017057015.tif 000012
2017057015.tif 000013
2017057015.tif 000014
2017057015.tif 000015